(57)【要約】      （修正有）【課題】サプライチェーンファシリティのパフォーマンス分析をサポートする方法、システム、およびコンピュータプログラム製品を提供する。【解決手段】複数のサプライチェーンファシリティに関するサプライチェーンファシリティ設定情報を保守し（２０２）、サプライチェーンファシリティのパフォーマンスの属性と考えられる変数を特定し（２０４）、選択されたサプライチェーンファシリティに関する変数のうちの１つまたは複数に対応するデータを収集し（２０６）、当該データを入力として使用して、選択されたサプライチェーンファシリティに対してパフォーマンス分析を行い（２０８）、パフォーマンス分析の結果を出力する（２１０）。【選択図】図２
2008065828.tif 000002
【特許請求の範囲】
【請求項１】
サプライチェーンファシリティのパフォーマンス分析の方法であって、
複数のサプライチェーンファシリティに関するサプライチェーンファシリティ設定情報を保守するステップと、
前記サプライチェーンファシリティのパフォーマンスの属性と考えられる変数を特定するステップと、
前記複数のサプライチェーンファシリティの中の選択されたサプライチェーンファシリティに関する前記変数のうちの１つまたは複数に対応するデータを収集するステップと、
前記データを入力として用いて前記選択されたサプライチェーンファシリティに対するパフォーマンス分析を実行するステップであって、前記パフォーマンス分析は、包絡分析法（ＤＥＡ）に基づく３段階パフォーマンス分析モデルを実行すること、統計分析を実行すること、および感度分析を実行することを含む、パフォーマンス分析を実行するステップと、
前記選択されたサプライチェーンファシリティのパフォーマンスの順位、パフォーマンス改善のための指示、相関分析の結果、および感度分析の結果を含む前記パフォーマンス分析の結果を出力するステップと
を含む方法。
【請求項２】
前記データは履歴データを含む請求項１に記載の方法。
【請求項３】
前記複数のサプライチェーンファシリティはサプライチェーンファシリティ組織の種類によって特徴付けられ、サプライチェーンファシリティに関する前記変数は前記サプライチェーンファシリティに関連付けられた前記サプライチェーンファシリティ組織の種類に応じて変化する請求項１に記載の方法。
【請求項４】
前記選択されたサプライチェーンファシリティは同一のサプライチェーンファシリティ組織の種類によって特徴付けられる請求項３に記載の方法。
【請求項５】
前記変数を特定するステップは、前記パフォーマンス分析で使用されるべきモデルを検証することを含む請求項１に記載の方法。
【請求項６】
前記データを収集するステップは、複数のサプライチェーンファシリティに関する前記変数のうちの１つまたは複数についての前記データを収集する集約ファシリティから前記データを受信することを含む請求項１に記載の方法。
【請求項７】
前記変数は記憶装置に記憶され、前記特定するステップは前記記憶装置にある前記変数にアクセスすることを含む請求項１に記載の方法。
【請求項８】
前記出力するステップは、ユーザ装置の表示画面、および記憶装置のうちの１つまたは複数を出力先とする請求項１に記載の方法。
【請求項９】
前記相関分析の結果および前記感度分析の結果の前記出力は、表形式およびグラフィカルな形式のうちの１つまたは複数の形式である請求項１に記載の方法。
【請求項１０】
サプライチェーンファシリティのパフォーマンス分析をサポートするシステムであって、
複数のサプライチェーンファシリティに関するサプライチェーンファシリティ設定情報と、前記サプライチェーンファシリティに関する変数のうちの１つまたは複数に対応するデータとを受信する、ネットワークと通信している入力モジュールと、
前記データをパフォーマンス分析の実行の入力として使用して前記サプライチェーンファシリティに対するパフォーマンス分析を実行する、前記入力モジュールと通信している処理モジュールであって、前記パフォーマンス分析は、ＤＥＡに基づく３段階パフォーマンス分析モデルを実行すること、統計分析を実行すること、および感度分析を実行することを含む、処理モジュールと、
前記サプライチェーンファシリティのパフォーマンスの順位、パフォーマンス改善のための指示、相関分析の結果、および感度分析の結果を含む前記パフォーマンス分析の結果を出力する、前記処理モジュールと通信している出力モジュールと
を含むシステム。
【請求項１１】
前記データは履歴データを含む請求項１０に記載のシステム。
【請求項１２】
前記サプライチェーンファシリティはサプライチェーンファシリティ組織の種類によって特徴付けられ、サプライチェーンファシリティに関する前記変数は前記サプライチェーンファシリティに関連付けられた前記サプライチェーンファシリティ組織の種類に応じて変化する請求項１０に記載のシステム。
【請求項１３】
前記複数のサプライチェーンファシリティは同一のサプライチェーンファシリティ組織の種類によって特徴付けられる請求項１２に記載のシステム。
【請求項１４】
前記ネットワーク内の情報およびデータは暗号化される請求項１０に記載のシステム。
【請求項１５】
異なる種類の情報およびデータは異なる暗号鍵で暗号化される請求項１４に記載のシステム。
【請求項１６】
前記データ収集は、前記サプライチェーンファシリティのうちの１つまたは複数から前記データを収集する集約ファシリティから前記データを受信することを含む請求項１０に記載の方法。
【請求項１７】
サプライチェーンファシリティのパフォーマンス分析をサポートするコンピュータプログラム製品であって、該コンピュータプログラム製品が、
複数のサプライチェーンファシリティに関するサプライチェーンファシリティ設定情報を保守するステップと、
前記サプライチェーンファシリティのパフォーマンスの属性と考えられる変数を特定するステップと、
前記複数のサプライチェーンファシリティの中の選択されたサプライチェーンファシリティに関する前記変数のうちの１つまたは複数に対応するデータを収集するステップと、
前記データを入力として用いて前記選択されたサプライチェーンファシリティに対するパフォーマンス分析を実行するステップであって、前記パフォーマンス分析は、包絡分析法（ＤＥＡ）に基づく３段階パフォーマンス分析モデルを実行すること、統計分析を実行すること、および感度分析を実行することを含む、パフォーマンス分析を実行するステップと、
前記選択されたサプライチェーンファシリティのパフォーマンスの順位、パフォーマンス改善のための指示、相関分析の結果、および感度分析の結果を含む前記パフォーマンス分析の結果を出力するステップと
を含む方法を実行するための処理回路による実行のための命令を記憶する、処理回路によって可読な記憶媒体を含むコンピュータプログラム製品。
【請求項１８】
前記複数のサプライチェーンファシリティはサプライチェーンファシリティ組織の種類によって特徴付けられ、サプライチェーンファシリティに関する前記変数は前記サプライチェーンファシリティに関連付けられた前記サプライチェーンファシリティ組織の種類に応じて変化する請求項１７に記載のコンピュータプログラム製品。
【請求項１９】
前記選択されたサプライチェーンファシリティは同一のサプライチェーンファシリティ組織の種類によって特徴付けられる請求項１８に記載のコンピュータプログラム製品。
【請求項２０】
前記変数を特定するステップは、前記パフォーマンス分析で使用されるべきモデルを検証することを含む請求項１７に記載のコンピュータプログラム製品。
【発明の詳細な説明】
【技術分野】
【０００１】
本開示は、概してサプライチェーンのパフォーマンス管理に関し、特に共通のパフォーマンス管理プロセスをサポートする方法に関する。
【背景技術】
【０００２】
今日の世界市場において、通常、企業の中の事業体は、広範な地理的領域に散らばった複数のサプライチェーンファシリティと取り引きする。サプライチェーンファシリティは、供給業者、クロスドッキング、工場、配送センタ、および販売業者など、サプライチェーンのプロセスに含まれるいかなる関係者にも関連し得る。これらの企業は、例えば、顧客の注文を満足する能力および適時配送を行う能力の観点で高いレベルの競争力を絶えず示してきた外部のサプライチェーンファシリティと取引関係を維持することを望むことが最も有利である。しかし、共通のパフォーマンス測定方法およびパフォーマンス分析ツールが無いため、サプライチェーンファシリティのパフォーマンスを効率的に管理するのは容易なことではなかった。効率的な管理は、パフォーマンスを追跡する能力を必要とするだけでなく、パフォーマンス向上のための提案および／または戦略を提供することも必要とする。
【０００３】
バルク測定法、倉庫パフォーマンス分析、回帰分析、生産性比率、パラメトリック分析、および包絡分析法（ＤＥＡ）を含め、様々な方法がサプライチェーンファシリティのパフォーマンスの測定および／または分析に使用されてきた。バルク測定法は、貨物の容積（または重量）、運転費用、応答時間、または出荷の正確性などの単一のパフォーマンス測定指標に基づく従来の方法である。しかし、これらの不十分な測定方法は、事業資源（マテリアルハンドリング機器、情報技術、および人員など）に対する投資の水準と、ファシリティの設計および所在地と、様々な種類の提供されるサービスとを含む多くの他の入力および出力要素によって影響されるシステムの現実のパフォーマンスを反映しない。
【０００４】
倉庫パフォーマンス分析は、人、空間、およびシステムの使用に基づくグラフィカルなアプローチである。倉庫パフォーマンス分析は、現在のパフォーマンスと最高のパフォーマンスの間の相違を視覚的に示すが、パフォーマンスの単一の定量的な測定指標を提供することはできない。
【０００５】
生産性比率は、単一の入力に対する単一の出力の比率に基づいてパフォーマンスを測定する。パラメトリック分析は確かに複数の入力および出力設定を対象とするが、明確な関数形式および１組の重みが生産関数に対して推測的に与えられる必要がある。回帰分析においても同様に回帰関数が前もって指定されなければならない。さらに、標準回帰モデルは、所与の一群の入力から単一の出力の平均的な水準を導出するのみであり、達成可能な最大の結果は導出しない。したがって、回帰分析はパフォーマンス分析に使用されるのに適していない。
【０００６】
ＤＥＡは、ノンパラメトリックな、最適化に基づくパフォーマンス測定方法として認識されている。ＤＥＡは、（１）入力要素および出力要素の両方に基づいて定量的な測定指標を導出し、（２）複数の入力および出力を扱い、（３）サンプリングされたデータのみに依存し、関数形式、およびどの入力および出力が最も重要かに関する推測的な情報を必要とせず、（４）線形計画最適化に基づき相対的な効率の順位を提供するという点で上記の方法に優る多数の利点を有する。
【０００７】
パフォーマンス分析のプロセス、入力、および出力は、単一の企業内の異なるサプライチェーンファシリティに対して大きく異なる可能性がある。企業全体がサプライチェーンファシリティのパフォーマンス分析のための共通のツールを利用できるようにすることは困難である可能性がある。概して、かかるツールは、様々な種類のパフォーマンス評価基準を用いる様々な種類のサプライチェーンファシリティに適合することが難しい。この適合性の欠如はこのツールが使用されることを難しくする可能性があり、企業内の事業体によって使用されない原因になる可能性がある。その結果、事業体は、それらの事業体が個別に開発したサプライチェーンのパフォーマンス管理およびパフォーマンス分析方法に頼り続ける。
【発明の開示】
【発明が解決しようとする課題】
【０００８】
求められているのは、サプライチェーンファシリティのパフォーマンス分析をサポートする共通の企業規模のツールである。このツールは、企業によって利用されている全てのサプライチェーンファシリティに関するパフォーマンス管理をサポートするために使用される共通の中核となる分析プロセスをこれまで通り保持しながら、様々な種類のサプライチェーンパートナーおよび様々な事業体の要求に対するプロセスの変化を許容するのに十分なだけ柔軟でなければならない。このツールは、サプライチェーンファシリティのパフォーマンスを分析するプロセスを適応性があり包括的な方法でサポートすべきである。さらに、このツールは、分析結果に基づいたサプライチェーンファシリティに対する改善指示の作成をサポートすべきである。
【課題を解決するための手段】
【０００９】
１つの態様は、サプライチェーンファシリティのパフォーマンス分析の方法である。この方法は、複数のサプライチェーンファシリティに関するサプライチェーンファシリティ設定情報を保守するステップを含む。この方法は、サプライチェーンファシリティのパフォーマンスの属性と考えられる変数を特定するステップも含む。複数のサプライチェーンファシリティの中の選択されたサプライチェーンファシリティに関する変数のうちの１つまたは複数に対応するデータが収集される。当該データを入力として使用して、サプライチェーンファシリティに対してパフォーマンス分析が実行される。パフォーマンス分析は、包絡分析法（ＤＥＡ）に基づく３段階パフォーマンス分析モデルを実行することと、統計分析を実行することと、感度分析を実行することとを含む。パフォーマンス分析の結果が出力される。結果は、選択されたサプライチェーンファシリティのパフォーマンスの順位と、パフォーマンス改善のための指示と、相関分析の結果と、感度分析の結果とを含む。
【００１０】
別の態様は、サプライチェーンファシリティのパフォーマンス分析をサポートするシステムである。このシステムは、複数のサプライチェーンファシリティに関するサプライチェーンファシリティ設定情報と、当該サプライチェーンファシリティに関する１つまたは複数のパフォーマンス変数に対応するデータとを受信する、ネットワークと通信している入力モジュールを含む。このシステムは、当該データをパフォーマンス分析の実行の入力として使用してサプライチェーンファシリティのパフォーマンス分析を実行する、入力モジュールと通信している処理モジュールも含む。パフォーマンス分析は、ＤＥＡに基づく３段階パフォーマンス分析モデルを実行することと、統計分析を実行することと、感度分析を実行することとを含む。このシステムは、パフォーマンス分析の結果を出力する、処理モジュールと通信している出力モジュールをさらに含む。結果は、サプライチェーンファシリティのパフォーマンスの順位と、パフォーマンス改善のための指示と、相関分析の結果と、感度分析の結果とを含む。
【００１１】
さらに別の態様は、サプライチェーンファシリティのパフォーマンス分析をサポートするコンピュータプログラム製品である。このコンピュータプログラム製品は、処理回路によって可読であり、方法を実行するための処理回路による実行のための命令を記憶する記憶媒体を含む。その方法は、複数のサプライチェーンファシリティに関するサプライチェーンファシリティ設定情報を保守するステップを含む。その方法は、サプライチェーンファシリティのパフォーマンスの属性と考えられる変数を特定するステップも含む。複数のサプライチェーンファシリティの中の選択されたサプライチェーンファシリティに関する変数のうちの１つまたは複数に対応するデータが収集される。当該データを入力として使用して、選択されたサプライチェーンファシリティに対してパフォーマンス分析が実行される。パフォーマンス分析は、包絡分析法（ＤＥＡ）に基づくパフォーマンス分析モデルを実行することと、統計分析を実行することと、感度分析を実行することとを含む。パフォーマンス分析の結果が出力される。結果は、選択されたサプライチェーンファシリティのパフォーマンスの順位と、パフォーマンス改善のための指示と、相関分析の結果と、感度分析の結果とを含む。
【００１２】
複数の図において同様の要素は同様に番号付けされている例示的な図面を参照する。
【発明を実施するための最良の形態】
【００１３】
例示的実施形態は、企業規模のサプライチェーンのパフォーマンス管理体系と、サプライチェーンファシリティのパフォーマンスを適応性があり包括的な方法で分析するプロセスとを提供する。例示的実施形態において、サプライチェーンのパフォーマンス管理体系およびプロセスは、コンピュータソフトウェアによって実現される。共通のソフトウェアツール（本明細書においては、サプライチェーン・ファシリティ・パフォーマンス・アナライザまたは「ＳＣＦＰＡ」と呼ばれる）を使用することによって、一貫したサプライチェーンのパフォーマンス管理体系およびプロセスが、サプライチェーンファシリティを評価する企業の全ての拠点および事業体により実施されることができる。
【００１４】
本明細書に記載されたＳＣＦＰＡは、包括的で公正なパフォーマンス測定方式を提供する助けとして、サプライチェーンファシリティにおける資源消費、生産物の生成、および制御できない外因的な要素を捕捉する。さらに、ＳＣＦＰＡは、サプライチェーンの全てのファシリティについて、サプライチェーンのパフォーマンスの系統的な観察を経時的に追跡する（およびユーザが視覚化できるようにする）。さらに、ＳＣＦＰＡは、サプライチェーンファシリティのパフォーマンス評価の管理、可能な改善指示、契約管理、および資源配分に対する洞察をもたらす。例示的な実施形態においては、これは、包絡分析法（ＤＥＡ）に基づくパフォーマンス分析モデル、ならびに感度分析および統計分析を用いることによって達成される。
【００１５】
例示的実施形態は、共通のサプライチェーンファシリティのパフォーマンス管理のためのウェブベースのＳＣＦＰＡツールを提供する。このツールは、これらに限定されないが、供給業者、クロスドッキング、工場、配送センタ、販売業者、およびサードパーティ・ロジスティクス・プロバイダを含む、サプライチェーン内のいかなる関係者に対しても適用可能である。図１は、共通のサプライチェーンファシリティのパフォーマンス管理プロセスのためのウェブベースのＳＣＦＰＡツールの例示的な対象範囲を示す。このウェブベースのパフォーマンス分析意志決定支援ツールは、供給業者１０２、クロスドッキング１０４、工場１０６、配送センタ１０８、販売業者１１０、およびサードパーティ・ロジスティクス・プロバイダ１１２におけるパフォーマンスを分析するために使用されることができる。
【００１６】
ＳＣＦＰＡツールは、資源消費および生産物の生成、ならびに制御できない外因的な要素を捕捉する公正で包括的なパフォーマンス測定方式を提供する。さらに、ＳＣＦＰＡツールは、全てのファシリティユニットについて、サプライチェーンのパフォーマンスの系統的な観察を経時的に追跡するおよび／または視覚化するために使用されることができる。ＳＣＦＰＡツールは、パフォーマンス評価の管理、改善指示、契約管理、および資源配分に対する強力な洞察をもたらす。これらの洞察は、ＤＥＡ、感度分析、および統計分析の使用を通じて提供される。したがって、かかる強力なツールは、会社および他のサプライチェーンに関連する産業において経営陣を支援することが望ましい。
【００１７】
例示的実施形態において、ＳＣＦＰＡは、効率評価モデルならびに種々の統計分析および感度分析を含むコアパフォーマンス分析エンジンを提供する。このパフォーマンス分析からの出力は、非効率の原因の特定を支援し、経営陣に（業務および戦略両面の）改善に関する提案を提供する。さらに、パフォーマンス分析からの出力は、契約管理および資源配分を支援することができる。また、ＳＣＦＰＡは、サプライチェーンファシリティ組織、ファシリティユニット、ならびにロールおよびユーザに関する設定情報を保守および表示する。所与のサプライチェーン組織（例えば、クロスドッキング、倉庫）の各ファシリティについて、ＳＣＦＰＡのユーザは、パフォーマンスを測定するための入力および出力変数が何であるかの特定を支援される。
【００１８】
さらに、ＳＣＦＰＡの例示的実施形態は、分散したサプライチェーンファシリティからのデータ取得のための集約ファシリティを提供し、サプライチェーンファシリティ組織の効率およびパフォーマンスに影響を与える全ての入力および出力変数を記憶し表示する。最後に、ＳＣＦＰＡは、パフォーマンス分析の結果と、効率評価、相関分析の結果、および感度分析の結果のエクスポートされたレポートとを保存し、表およびグラフィカルな形式で表示する。
【００１９】
図２は、本明細書に記載されたようにＳＣＦＰＡによって実現されることができる例示的プロセスを示す。ブロック２０２において、複数のサプライチェーンファシリティに関する設定情報が保守される。サプライチェーンファシリティの設定情報は、これらに限定されないが、サプライチェーンファシリティ組織、ファシリティユニット、ロールおよびユーザを含んでよい。ブロック２０４において、サプライチェーンファシリティのサプライチェーンファシリティとしてのパフォーマンスの属性と考えられる変数（入力および出力）が特定される。例示的実施形態において、変数の特定は、変数の組を変数の数およびファシリティの数などの要素に関して検討し、これらの要素をモデルによって要求されるように調整することによってモデル（例えばＤＥＡに基づく３段階パフォーマンス分析モデル）を検証することを含む。サプライチェーンファシリティはファシリティの組織または種類（例えば、クロスドッキング、倉庫）によって特徴付けられることができ、異なる種類のファシリティに対して異なる変数の組が割り当てられる。例示的実施形態においては、選択されたサプライチェーンファシリティ組織に属するサプライチェーンファシリティのパフォーマンスの属性と考えられる変数が特定される。次に、選択されたサプライチェーンファシリティ組織に属するサプライチェーンファシリティ（またはそれらの一部）がＳＣＦＰＡによって分析される。
【００２０】
ブロック２０６において、選択されたサプライチェーンファシリティに関する変数のうちの１つまたは複数に対応するデータが収集される。データは、現在のデータおよび／または履歴データを含むことができる。図２のブロック２０８において、当該データをパフォーマンス分析の実行の入力として使用して、選択されたサプライチェーンファシリティに対してパフォーマンス分析が実行される。パフォーマンス分析は、包絡分析法（ＤＥＡ）に基づくパフォーマンス評価モデル、統計分析（例えば相関分析）、および感度分析を実行することを含む。例示的実施形態において、ＤＥＡの出力は、選択されたサプライチェーンファシリティのパフォーマンスの順位と、相関および感度分析の結果と、改善指示と、サプライチェーンファシリティに対する契約管理計画および資源配分結果とを含む。ブロック２１０において、実行結果が出力される。結果は、ユーザ装置の表示画面、および記憶装置のうちの１つまたは複数に出力されることができる。
【００２１】
図３は、ＳＣＦＰＡを提供する例示的システムの構成図が全体的に示されている。このシステムは、１つまたは複数の地理的位置にいるユーザがそのシステムを介して企業ホストシステム３０４と交信して、ソフトウェアツール、ＳＣＦＰＡにアクセスする１つまたは複数のユーザシステム３０２を含む。企業ホストシステム３０４はアプリケーション・プログラム（例えばＳＣＦＰＡツール）を実行し、ユーザシステム３０２はネットワーク３０６を介して企業ホストシステム３０４に結合される。各ユーザシステム３０２は、本明細書に記載されたプロセスを実行するためのコンピュータプログラムを実行する多目的コンピュータを用いて実現される。ユーザシステム３０２は、パーソナルコンピュータ（例えば、ラップトップ、携帯情報端末）、またはホストに接続された端末であってよい。ユーザシステム３０２がパーソナルコンピュータである場合、本明細書に記載された処理はユーザシステム３０２および企業ホストシステム３０４によって（例えば、アプレットをユーザシステム３０２に提供することによって）分担される。ユーザシステム３０２は、ユーザによるＳＣＦＰＡの選択された部分へのアクセスのために、事業拠点および／またはサプライチェーンファシリティに置かれることができる。
【００２２】
ネットワーク３０６は、これらに限定されないが、広域ネットワーク（ＷＡＮ）と、ローカルエリアネットワーク（ＬＡＮ）と、グローバルネットワーク（例えばインターネット）と、仮想プライベートネットワーク（ＶＰＮ）と、イントラネットとを含む任意の種類の知られているネットワークであってよい。ネットワーク３０６は、無線ネットワーク、または当技術分野で知られている任意の種類の物理ネットワーク構築方法を使用して実現されることができる。ユーザシステム３０２は複数のネットワーク（例えば、イントラネットおよびインターネット）を介してホストシステムと結合されることができ、したがって全てのユーザシステム３０２が同一のネットワークを介して企業ホストシステム３０４と結合されるわけではない。ユーザシステム３０２および企業ホストシステム３０４のうちの１つまたは複数は、無線形式でネットワーク３０６と接続されることができる。一実施形態において、ネットワークはインターネットであり、１つまたは複数のユーザシステム３０２はユーザインターフェースアプリケーション（例えばウェブブラウザ）を実行して、ネットワーク３０６を介して企業ホストシステム３０４と交信する一方、別のユーザシステム３０２は企業ホストシステム３０４に直接接続される。別の例示的実施形態においては、ユーザシステム３０２は企業ホストシステム３０４に直接（すなわち、ネットワーク３０６を介さずに）接続され、企業ホストシステム３０４は記憶装置３０８に直接接続されるか、または記憶装置３０８を含む。別の例示的実施形態においては、ユーザシステム３０２は、ＳＣＦＰＡツールを実行するためのスタンドアロン・アプリケーション・プログラムを含む。
【００２３】
例示的実施形態においては、ネットワークを介して（またはネットワーク内で）転送される情報およびデータは暗号化される。異なる種類の情報およびデータは異なる暗号鍵で暗号化されることができる。これは、サプライチェーンファシリティに関する情報および／またはデータが当該サプライチェーンファシリティに対応する暗号鍵を持たない者から秘匿されることを可能にする。ＳＣＦＰＡツールは、相手先商標製造会社（ＯＥＭ）によって、それらの会社が契約しているサプライチェーンファシリティのパフォーマンスを評価するために使用されることができる。ＯＥＭはネットワークを介して全ての契約しているファシリティからデータを収集し、全ての契約しているファシリティに関する当該データは、ネットワークが暗号化されているのでＯＥＭのアナリスト／ユーザに対してのみ利用可能である。しかし、個々のファシリティに関するデータは、暗号鍵のユーザを介して、当該ファシリティにいる認可されたユーザに対して利用可能にされることができる。
【００２４】
記憶装置３０８は、電子情報を記憶する種々の装置を使用して実現される。記憶装置３０８は、企業ホストシステム３０４に含まれるメモリを使用して実現されてもよく、または別個の物理装置であってもよいことが理解される。記憶装置３０８は、ネットワーク３０６を含む分散環境にまたがる統合されたデータソースとして論理的にアドレス指定可能である。記憶装置３０８に記憶された情報は、企業ホストシステム３０４を介して検索および操作される。記憶装置３０８は、例えば、特定のサプライチェーンファシリティによって必要とされる変数などのモデリングデータとしてのサプライチェーンファシリティに関する設定データおよび変数データと、実行されるべきモデルと、パフォーマンス分析の実行結果とを含む。記憶装置３０８は、当該記憶装置内のデータの更新に関する情報（例えば、ユーザ識別子、日付、および更新時間）などの他の種類のデータも含むことができる。図３に示された企業ホストシステム３０４は、サーバによってアクセス可能な記憶媒体に記憶されたコンピュータプログラムに応答して動作する１つまたは複数のサーバを使用して実現される。企業ホストシステム３０４は、（例えば、分析で使用するデータを収集する、分析結果をレポートするなどの目的で）ユーザシステム３０２および供給業者のホストシステム３１０と通信するネットワークサーバ（例えばウェブサーバ）として動作する。企業ホストシステム３０４は、ユーザシステム３０２への送信情報およびユーザシステム３０２からの受信情報を処理し、関連するタスクを実行することができる。企業ホストシステム３０４は企業ホストシステム３０４への無権限アクセスを防ぐためのファイアウォールを含むこともでき、認可されたアクセスに対して任意の制限を実施することもできる。例えば、管理者はシステム全体にアクセスすることができ、システムの一部を修正する権限を持つことができる。ファイアウォールは、当技術分野で知られているように従来のハードウェアおよび／またはソフトウェアを用いて実現されることができる。
【００２５】
企業ホストシステム３０４は、アプリケーションサーバとして動作することもできる。企業ホストシステム３０４は、ＳＣＦＰＡを実行するための１つまたは複数のコンピュータプログラムを実行する。例示的実施形態において、コンピュータプログラムは、データを受信する入力モジュールと、パフォーマンス分析を容易にする処理モジュールと、パフォーマンス分析の結果を出力する出力モジュールとを含む。処理は、アプリケーション（例えばＪａｖａアプレット）をユーザシステム３０２に提供することによって、ユーザシステム３０２および企業ホストシステム３０４によって分担されることができる。代替として、ユーザシステム３０２は、本明細書に記載された処理の一部または全てを実行するためのスタンドアロン・ソフトウェア・アプリケーションを含むことができる。上述のように、ネットワークサーバ機能およびアプリケーションサーバ機能を実現するために別個のサーバが使用されてよいことが理解される。代替として、ネットワークサーバ、ファイアウォール、およびアプリケーションサーバは、必要な機能を実行するためのコンピュータプログラムを実行する単一のサーバによって実現されてもよい。
【００２６】
例示的実施形態においては、ＳＣＦＰＡは、図４に示されたように多層エンタープライズアプリケーションとして実現される。図４に示されたＳＣＦＰＡは、Ｊａｖａ２  Ｐｌａｔｆｏｒｍ，  Ｅｎｔｅｒｐｒｉｓｅ  Ｅｄｉｔｉｏｎ（Ｊ２ＥＥ）に基づくモデル・ビュー・コントローラ（ＭＶＣ）アーキテクチャとして表される。図５、図６、および図７は、ＳＣＦＰＡシステムの例示的実施形態により使用されるＭＶＣアーキテクチャの論理ビュー、プロセスビュー、および配置ビューをそれぞれ示す。
【００２７】
例示的実施形態において、ＳＣＦＰＡツールは、サプライチェーンファシリティの効率評価およびパフォーマンス分析のためのウェブベースの意志決定支援ツールである。ＳＣＦＰＡは、包絡分析法（ＤＥＡ）の方法論によって動作する。ＤＥＡの方法論は、ノンパラメトリックであり最適化に基づいた方法論である。ＳＣＦＰＡは、サプライチェーンファシリティのパフォーマンスを効果的におよび公正に評価するプロセスを重視する全組織的なパフォーマンス測定方式に基づくパフォーマンス管理プロセスをサポートする。特に、ＳＣＦＰＡは、改善指示を提供しながら非効率なファシリティの特定を支援することができ、単一の不十分な測定指標ではなく真のパフォーマンスに基づいて契約管理を強化することができる。ＳＣＦＰＡは、利用可能な全組織的なパフォーマンス測定方式を備えたパフォーマンス評価意志決定支援ツールを提供する。
【００２８】
上述のように、ＤＥＡは、ノンパラメトリックであり最適化に基づいた方法として認識されている。ＤＥＡは、（１）入力要素および出力要素の両方に基づいて定量的な測定指標を導出することと、（２）複数の入力および出力を扱うことと、（３）サンプリングされたデータのみに依存し、関数形式、およびどの入力および出力が最も重要かに関する推測的な情報を必要としないことと、（４）線形計画法による最適化に基づき、検証対象のユニットに相対的な効率の順位を提供することとを含む、他の評価方法に優る多数の利点を有する。
【００２９】
ＳＣＦＰＡは、ＤＥＡに基づくパフォーマンス分析意志決定支援ツールである。ＤＥＡの長所の１つは、複数の不揃いな入力および出力を処理するＤＥＡの能力にある。ＤＥＡは実際のサンプルデータを使用して効率的フロンティアを導出し、この効率的フロンティアに対してサンプル中の各ユニットが、どの入力および出力が評価手順の中で最も重要なのかに関する推測的な情報を用いずに評価される。効率的フロンティアは、各ファシリティユニットに対するＤＥＡ効率値を計算するための線形計画モデルが解ける場合に生成される。基本的なＤＥＡモデルは、検証対象のユニットのうちのどれが包絡面（つまり効率的フロンティア）を決定するかを判定しようとする。概略的に言えば、当該面上にある（当該面を決定する）ユニットは効率的とみなされる。当該面上にないユニットは非効率と呼ばれ、分析はそれらのユニットの相対的な効率の測定を行う。
【００３０】
例示的実施形態においては、任意に決定できない変数（つまり、サプライチェーンファシリティの管理者が制御できない変数）の数が多いため、固定の要素（例えば、ファシリティの所在地、気象条件など）について適切な制御を行うためにＳＣＦＰＡに対して３段階モデルが使用される。このモデルの第１段階において、ＤＥＡは任意に決定できる変数のみを用いて実行される。第２段階において、パフォーマンス改善の指示のために、有り得る過不足を発見するための線形計画最適化が解かれる。第３段階において、第１段階から得られた効率値が全ての任意に決定できない要素に対して回帰分析されて、非効率性を環境的な影響または短期に変更できない決定から分離する。
【００３１】
ＳＣＦＰＡの例示的実施形態によって提供される表記およびＤＥＡに基づく３段階パフォーマンス分析モデルは以下の通りである。
Ｎ：ファシリティユニットの数
Ｓ：任意に決定できる入力の数
Ｍ：任意に決定できる出力の数
Ｓ’：任意に決定できない入力の数
Ｍ’：任意に決定できない出力の数
θｋ：ファシリティユニットｋの第１段階の（入力指向型の）効率値，  ｋ＝１，２，．．．Ｎ
ηｋ：ファシリティユニットｋの第１段階の（出力指向型の）効率値，  ｋ＝１，２，．．．Ｎ
Ｘｉｋ：ファシリティユニットｋの任意に決定できる入力ｉ，  ｉ＝１，２，．．．Ｓ，  ｋ＝１，２，．．．Ｎ
Ｙｊｋ：ファシリティユニットｋの任意に決定できる出力ｊ，  ｊ＝１，２，．．．Ｍ，  ｋ＝１，２，．．．Ｎ
λｌｋ：ファシリティユニットｋの尺度母数，  ｌ，ｋ＝１，２，．．．Ｎ
Δｉｋ−：余剰変数，  ｉ＝１，２，．．．Ｓ，  ｋ＝１，２，．．．Ｎ
Δｊｋ＋：不足変数，  ｊ＝１，２，．．．Ｍ，  ｋ＝１，２，．．．Ｎ
Ｚｉｋ：ファシリティユニットｋの任意に決定できない入力ｉ，  ｉ＝１，２，．．．Ｓ’，  ｋ＝１，２，．．．Ｎ
Ｚｊｋ：ファシリティユニットｋの任意に決定できない出力ｊ，  ｊ＝Ｓ’＋１，Ｓ’＋２，．．．Ｓ’＋Ｍ’，  ｋ＝１，２，．．．Ｎ
βｉ：回帰係数，  ｉ＝０，１，．．．Ｓ’＋Ｍ’
θｋ＾：ファシリティユニットｋの第２段階の効率値，  ｋ＝１，２，．．．Ｎ
段階１：各検証対象のファシリティｋについて、任意に決定できるそれらの入力｛Ｘｉｋ｝および出力｛Ｙｊｋ｝（つまり、業務上の意志決定によって直接的に影響を受ける入力および出力）のみを用いて基本的なＤＥＡモデルを解く／実行する。
【００３２】
【数１】
2008065828.tif 000003
【００３３】
第１段階の効率値は最適値θｋ＊で示され、Δｉｋ−およびΔｊｋ＋は制約（１）および（２）のスラック変数である。
段階２：全ての制約においてスラック変数が０の状態で最適効率値θｋ＊が達成されることを保証するために、以下の線形計画が解かれて有り得る過不足が発見される。
【００３４】
【数２】
2008065828.tif 000004
【００３５】
有り得る過不足はパフォーマンス改善の指示を提供する。
段階３：等式θｋ＊＝β０＋β１Ｚ１，ｋ＋．．．＋βｓ’＋ｍ’Ｚｓ’＋ｍ’，ｋ，  ｋ＝１，２，．．．Ｎの形の第１段階の効率値θｋ＊に対して、任意に決定できない入力および出力変数｛Ｚｉｋ｝を回帰分析する。標準回帰モデルが適切であるかどうかを判定するために、Ｂｏｘ−Ｃｏｘ変換がデータに対して実行される。
【００３６】
上記の記述は、ＤＥＡに基づく３段階パフォーマンス分析モデルを使用してサプライチェーンファシリティのパフォーマンス分析を実行する１つの方法を説明した。ここで、基本的なＤＥＡモデルは２つの指向形式を取ることができる。入力指向型モデルは少なくとも所与の出力を生成しながら入力または消費される資源を最小化し、一方、出力指向型モデルは観測された量の入力以下の消費を行いながら出力を最大化する。等式制約（３）λ１ｋ＋λ２ｋ＋．．．＋λＮｋ＝１は収穫変動を捕捉する。効率を向上させるまたは低下させることなしに入力および出力が線形に増減されることができる収穫一定の場合、制約（３）は含まれなくなる。
【００３７】
図８を参照すると、例示的なＳＣＦＰＡの構成の高レベルの図が示されている。ＳＣＦＰＡの構成８００は、ＳＣＦＰＡツールにアクセスするユーザ８０２と、認証および認可ユニット８０４と、システム管理ユニット８０６と、マスタデータ収集ユニット８０８と、パフォーマンス分析ユニット８１０と、レポートユニット８１２とを含む。
【００３８】
具体的には、ＳＣＦＰＡツールは以下の主要な特徴、（１）サプライチェーンファシリティ組織、ファシリティユニット、ならびにロールおよびユーザの設定情報を保守し表示することと、（２）分散したサプライチェーンファシリティからのデータ取得を集約化することと、（３）サプライチェーンファシリティ組織の効率およびパフォーマンスに影響を与える全ての入力および出力変数を記憶し表示することと、（４）データ妥当性検証、効率評価モデル、ならびに種々の統計分析および感度分析を含むパフォーマンス分析エンジンのコアを提供することと、（５）効率評価、相関分析、および感度分析の結果およびエクスポートされたレポートを記憶し、表およびグラフィカルな形式で表示することとを備える。
【００３９】
さらに、ＳＣＦＰＡは主に３つの異なるレベルのユーザを有する。
サプライチェーンファシリティ組織、ファシリティユニット、ロール、およびシステムの他のユーザを設定することと、種々のサプライチェーンファシリティ組織のパフォーマンス評価で使用される様々な入力および出力変数に関するマスタデータを入力することとを含む全ての管理権限を有するシステム管理者。
【００４０】
評価者は、新規プロジェクトを作成する権限と、既存のプロジェクトを開く権限と、種々のプロジェクトの効率を評価する権限と、相関および感度分析を実行する権限と、表および／またはグラフィカルな形式でレポートを閲覧する権限とを有する。
【００４１】
意志決定者は、このロールが種々の分析ツールを使用してパフォーマンス結果に基づいて意志決定を行う追加の権限を有することを除いて評価者と権限範囲が同様である。
図９を参照すると、ＳＣＦＰＡの３つの異なるレベルのユーザを示すテーブル９００が示されている。テーブル９００の左側の列は、システム管理者９０８、評価者９１０、および意志決定者９１２に関する行を示している。テーブル９００の縦の列は、ユーザ列９０２、およびタスクレベルの目的列９０４を示している。ユーザ列９０２は、システム管理者９０８、評価者９１０、および意志決定者９１２を含む。システム管理者９０８のタスクは、サプライチェーンファシリティ組織を設定すること、ファシリティユニットを設定すること、入力／出力変数を設定すること、他のロールを設定することなどを含む。評価者９１０のタスクは、新規プロジェクトを作成すること、既存のプロジェクトを開くこと、効率を評価すること、感度および相関分析を実行すること、ならびにレポートを閲覧することを含む。意志決定者９１２のタスクは、新規プロジェクトを作成すること、既存のプロジェクトを開くこと、効率を評価すること、感度および相関分析を実行すること、レポートを閲覧すること、ならびに意志決定を行うことを含む。
【００４２】
図１０を参照すると、例示的なＳＣＦＰＡのメニュー（サブメニューを含む）が、数個の主画面を用いたサイトマップによって示されている。図１０はＳＣＦＰＡのメニューのツリー構造のサイトマップ１０００を示しており、このサイトマップ１０００は、メインメニュー１００２、ホーム画面１００４、システム管理画面１００６、マスタデータ収集画面１００８、パフォーマンス分析画面１０１０、レポート画面１０１２、およびログアウト画面１０１４を含む。
【００４３】
システム管理画面１００６は以下のタスク、ファシリティ組織を設定すること、ファシリティユニットを設定すること、入力／出力変数を設定すること、ロールを設定すること、およびユーザを設定することを含む。
【００４４】
マスタデータ収集画面１００８は以下のタスク、動的なアップロード、バッチによるアップロード、および手作業によるデータ入力を含む。
パフォーマンス分析画面１０１０は以下のタスク、新規プロジェクトを作成すること、既存のプロジェクトを開くこと、１つまたは複数のプロジェクトを削除すること、効率評価、および分析ツールを含む。
【００４５】
レポート画面１０１２は以下のレポート、効率評価レポート、相関分析レポート、および感度分析レポートを作成することを含む。
したがって、図１０に関連して、ＳＣＦＰＡは、種々の機能およびメニューに対してロールに基づくセキュリティアクセスを提供する。各機能はサブメニューのオプションによって識別される。サブメニューは論理的にグループ化され、メインメニューのオプションに関連付けられる。システム内に作成された各ロールは１つまたは複数の機能（サブメニュー）と関連付けられる。ユーザはシステム内でロールに関連付けられ、したがって当該ロールに関連付けられた全ての機能（サブメニュー）にアクセスすることができる。ＳＣＦＰＡシステムは、ロールに基づくファシリティ組織アクセスも提供する。それぞれの設定されたファシリティ組織について、システムはユーザ（「ロールの設定」の権限を有する）が（１つまたは複数の）ファシリティ組織をロールに関連付けることを可能にする。したがって、このロールに関連付けられた全てのユーザは、（１つまたは複数の）関連付けられたファシリティ組織にアクセスできる。
【００４６】
システム管理画面１００６は、ユーザのタスクを分析する複数のテーブルを含む。図１１は、ユーザのタスクを分析するための例示的なテーブルを示す。具体的には、テーブルは、ファシリティユニットの設定テーブル１１０８、入力／出力変数の設定テーブル１１１０、ロールの設定テーブル１１１２、ユーザの設定テーブル１１１４、およびファシリティ組織の設定テーブル１１１６を含む。各テーブルは、機能列１１０２、ＳＣＦＰＡシステム内で要求される権限列１１０４、およびナビゲーション列１１０６を含む。換言すると、システム管理画面１００６はシステム管理者に、種々のファシリティ組織を設定する能力と、種々のファシリティユニット、入力／出力変数を設定し、既存のファシリティ組織に関連付ける能力と、種々のロールを設定する能力と、種々の機能（サブメニュー）、ファシリティ組織をロールに関連付ける能力と、種々のユーザを設定する能力と、種々のユーザをロールに関連付ける能力とを提供する。
【００４７】
変数は、任意に決定できるものまたは任意に決定できないものに分類されることができる。任意に決定できる変数は、サプライチェーンファシリティの経営陣の業務上の意志決定によって影響され得る変数である。対照的に、通常、任意に決定できない変数は環境的なおよび経済的な条件（天候、所得水準など）に関連するか、または業務上の意志決定によって容易に影響を受けない長期の決定（ファシリティの所在地の選択およびレイアウト設計など）に従属する要素である。
【００４８】
マスタデータ収集画面１００８は、ユーザのタスクを分析するための複数のテーブルを含む。図１２は、ユーザのタスクを分析するための例示的なテーブルを示す。具体的には、テーブルは、バッチ・アップロード・テーブル１２０８、および手動データ入力テーブル１２１０を含む。各テーブルは、機能列１２０２、ＳＣＦＰＡシステム内で要求される権限列１２０４、およびナビゲーション列１２０６を含む。言い換えると、データ収集画面１００８は、システム管理者にファシリティ組織に関するマスタデータを取得する能力を提供する。動的なアップロード、バッチによるアップロード、および手作業によるデータ入力を用いることにより、マスタデータセットを生成する。様々なユーザが、効率評価および分析（相関分析および感度分析）を実行するためにプロジェクトを作成する目的でマスタデータセットを用いる。
【００４９】
パフォーマンス分析画面１０１０は、ユーザのタスクを分析するための複数のテーブルを含む。図１３は、ユーザのタスクを分析するための例示的なテーブルを示す。具体的には、テーブルは、新規プロジェクトの作成テーブル１３０８、既存プロジェクトのオープンテーブル１３１０、プロジェクトの削除テーブル１３１２、効率評価テーブル１３１４、および分析ツールテーブル１３１６を含む。各テーブルは、機能列１３０２、ＳＣＦＰＡシステム内で要求される権限列１３０４、およびナビゲーション列１３０６を含む。換言すると、パフォーマンス分析画面１０１０はシステム管理者に、新規プロジェクトを作成する能力と、既存のプロジェクトを開く能力と、１つまたは複数のプロジェクトを削除する能力と、効率評価を実行する能力と、相関および感度ツールを使用してデータを分析する能力と、結果を保存する能力とを提供する。
【００５０】
例示的実施形態においては、パフォーマンス分析は、データ妥当性検証の実行および効率評価モデルの作成も含む。
レポート画面１０１２は、ユーザのタスクを分析するための複数のテーブルを含む。図１４は、ユーザのタスクを分析するための例示的なテーブルを示す。具体的には、テーブルは、効率評価レポートテーブル１４０８、相関分析レポートテーブル１４１０、および感度分析レポートテーブル１４１２を含む。各テーブルは、機能列１４０２、ＳＣＦＰＡシステム内で要求される権限列１４０４、およびナビゲーション列１４０６を含む。換言すると、レポート画面１０１２はシステム管理者に、効率評価を閲覧する能力と、種々のプロジェクトに対して相関および感度分析のレポートを作成する能力とを提供する。レポートは表および／またはグラフィカルな形式で表示されることができ、表計算プログラムにエクスポートされることもできる。
【００５１】
さらに、ＳＣＦＰＡは、システムに実装された種々の機能に対してロールに基づくセキュリティアクセスを提供する。各機能はサブメニューのオプションによって識別される。サブメニューは論理的にグループ化され、メインメニューのオプションに関連付けられる。システム内に作成された各ロールは１つまたは複数の機能（サブメニュー）と関連付けられる。ユーザはシステム内でロールに関連付けられ、したがって当該ロールに関連付けられた全ての機能（サブメニュー）にアクセスすることができる。
【００５２】
また、システムは、全ての機能（サブメニュー）にアクセスできるデフォルトロール、「ＳＹＳＡＤＭＩＮ」ロールを提供する。デフォルトユーザ「ｓｙｓａｄｍｉｎ」は「ＳＹＳＡＤＭＩＮ」ロールに関連付けられる。このデフォルトロールおよびユーザはいかなる時点においてもシステムから削除されることができず、その他のユーザが「ＳＹＳＡＤＭＩＮ」ロールに関連付けられることはできない。メインメニューのオプションは有効化され、全てのユーザまたはロールで利用できることに留意されたい。しかし、機能（サブメニュー）は、様々なユーザに関連付けられているため、システム内で設定されたアクセス権限に基づいて有効化／無効化される。ロールに基づくセキュリティの他に、ＳＣＦＰＡシステムはロールに基づくファシリティ組織アクセスも提供する。それぞれの設定されたファシリティ組織について、システムはユーザ（「ロールの設定」の権限を有する）が（１つまたは複数の）ファシリティ組織をロールに関連付けることを可能にする。したがって、このロールに関連付けられた全てのユーザは、（１つまたは複数の）関連付けられたファシリティ組織にアクセスできる。
【００５３】
加えて、ユーザがシステムにログインする時には必ず、当該ユーザが正当なユーザであればセッションが作成される。ユーザがアプリケーションを終了したとき、当該セッションは終了される。セッションはクライアントの状態を保存するために維持される。ウェブサーバはいくつかの方法を用いてセッションをユーザと関連付けることができ、それらの方法は全てクライアントとサーバの間で識別子を伝達することを含む。識別子は、クライアント上でクッキーとして保持されることができる。また、セッションを作成した後で所定の期間ユーザがシステムを使用しなかったときはいつでも当該セッションのリソースが要求されることができるように、各セッションは関連するタイムアウトを有する。
【００５４】
技術的効果は、会社が共通のパフォーマンス管理プロセスを適用するのを支援するための全組織的なサプライチェーンファシリティのパフォーマンス測定方式を備えたユーザフレンドリーな意志決定支援ツールを提供する能力を含む。かかるパフォーマンス分析意志決定支援ツールを開発することの重要性は、（１）会社の主要な関心事を重視するパフォーマンス測定方式を提供する能力と、（２）公正で効果的な方法で会社のサプライチェーンファシリティのパフォーマンスを評価する能力と、（３）非効率の原因を特定し、業務および戦略両面の改善手段を経営陣に提供する能力と、（４）資源配分および契約管理を支援する能力とに存する。
【００５５】
例示的実施形態は、資源利用を最大化しながら無駄／コストを削減することによってサプライチェーンおよび組織の生産性および効率を向上することと、サプライチェーンのパフォーマンス評価および改善を差配するサプライチェーンの管理者を支援することと、パフォーマンス査定、契約管理、および資源配分に関する定量的な意志決定支援を必要とする経営幹部を支援することとによって共通のパフォーマンス管理プロセスをサポートする。
【００５６】
上述のように、本発明の実施形態は、コンピュータで実現されたプロセスおよびそれらのプロセスを実行する装置の形態で実施されることができる。本発明の実施形態は、フローピーディスケット、ＣＤ−ＲＯＭ、ハードドライブ、または他のコンピュータ可読な記憶媒体などの有形の記憶媒体内に組み込まれた命令を含むコンピュータプログラムコードの形態で実施されることもでき、コンピュータプログラムコードがコンピュータにロードされ、コンピュータによって実行されるとき、当該コンピュータは本発明を実施するための装置になる。本発明は、例えば、記憶媒体に格納され、コンピュータによってロードおよび／または実行されるのか、それとも電気配線もしくはケーブル、光ファイバ、または電磁放射を介するなど、何らかの伝送媒体を介して伝送されるのかに関わらずコンピュータプログラムコードの形態で実施されることもでき、コンピュータプログラムコードがコンピュータにロードされ、コンピュータによって実行されるとき、当該コンピュータは本発明を実施するための装置になる。汎用マイクロプロセッサ上に実装されるとき、コンピュータプログラムコードのセグメントがマイクロプロセッサを設定して特定の論理回路を形成する。
【００５７】
本発明が例示的実施形態を参照して説明されたが、本発明の範囲を逸脱することなく種々の変更が行われることができ、均等物が本発明の要素の代替とされることができることが当業者に理解されるであろう。さらに、特定の状況または構成要素を本発明の教示に適合させるために、本発明の本質的な範囲を逸脱することなく多くの修正が行われ得る。したがって、本発明は本発明を実施するための開示された特定の実施形態に限定されず、本発明は添付の特許請求の範囲内に入る全ての実施形態を含むことが意図される。さらに、用語「第１」、「第２」などの使用はいかなる順序または重要度も表さず、むしろ用語「第１」、「第２」などはある要素を別の要素と区別するために使用される。
【図面の簡単な説明】
【００５８】
【図１】例示的実施形態を用いて分析されることができる例示的なサプライチェーンファシリティを示す図である。
【図２】例示的実施形態によって実現されることができる例示的プロセスを示す図である。
【図３】例示的実施形態によって実現されることができる例示的システムの構成図である。
【図４】例示的実施形態において、多層エンタープライズアプリケーションとして実現される例示的システムを示す図である。
【図５】図４の例示的システムの論理ビューを示す図である。
【図６】図４の例示的システムのプロセスビューを示す図である。
【図７】図４の例示的システムの配置ビューを示す図である。
【図８】例示的実施形態によって実現されることができる分析または意志決定支援ツールの高レベルの図である。
【図９】例示的実施形態によって実現されることができる３つの異なるレベルのユーザを示すテーブルである。
【図１０】例示的実施形態によって実現されることができるいくつかのメニューを用いたツリー構造のサイトマップを示す図である。
【図１１】例示的実施形態によって実現されることができるシステム管理画面の複数のテーブルを示す図である。
【図１２】例示的実施形態によって実現されることができるマスタデータ収集画面の複数のテーブルを示す図である。
【図１３】例示的実施形態によって実現されることができるパフォーマンス分析画面の複数のテーブルを示す図である。
【図１４】例示的実施形態によって実現されることができるレポート画面の複数のテーブルを示す図である。
【符号の説明】
【００５９】
１０２  供給業者
１０４  クロスドッキング
１０６  工場
１０８  配送センタ
１１０  販売業者
１１２  サードパーティ・ロジスティクス・プロバイダ
３０２  ユーザシステム
３０４  企業ホストシステム
３０６  ネットワーク
３０８  記憶装置
３１０  供給業者のホストシステム
８００  ＳＣＦＰＡの構成
８０２  ユーザ
８０４  認証および認可ユニット
８０６  システム管理ユニット
８０８  マスタデータ収集ユニット
８１０  パフォーマンス分析ユニット
８１２  レポートユニット
９００  ＳＣＦＰＡの３つの異なるレベルのユーザを示すテーブル
９０２  ユーザ列
９０４  タスクレベルの目的列
９０８  システム管理者
９１０  評価者
９１２  意志決定者
１０００  サイトマップ
１００２  メインメニュー
１００４  ホーム画面
１００６  システム管理画面
１００８  マスタデータ収集画面
１０１０  パフォーマンス分析画面
１０１２  レポート画面
１０１４  ログアウト画面
１１０２  機能列
１１０４  ＳＣＦＰＡシステム内で要求される権限列
１１０６  ナビゲーション列
１１０８  ファシリティユニットの設定テーブル
１１１０  入力／出力変数の設定テーブル
１１１２  ロールの設定テーブル
１１１４  ユーザの設定テーブル
１１１６  ファシリティ組織の設定テーブル
１２０２  機能列
１２０４  ＳＣＦＰＡシステム内で要求される権限列
１２０６  ナビゲーション列
１２０８  バッチ・アップロード・テーブル
１２１０  手動データ入力テーブル
１３０２  機能列
１３０４  ＳＣＦＰＡシステム内で要求される権限列
１３０６  ナビゲーション列
１３０８  新規プロジェクトの作成テーブル
１３１０  既存プロジェクトのオープンテーブル
１３１２  プロジェクトの削除テーブル
１３１４  効率評価テーブル
１３１６  分析ツールテーブル
１４０２  機能列
１４０４  ＳＣＦＰＡシステム内で要求される権限列
１４０６  ナビゲーション列
１４０８  効率評価レポートテーブル
１４１０  相関分析レポートテーブル
１４１２  感度分析レポートテーブル
【図１】
2008065828.tif 000005
【図２】
2008065828.tif 000006
【図３】
2008065828.tif 000007
【図４】
2008065828.tif 000008
【図５】
2008065828.tif 000009
【図６】
2008065828.tif 000010
【図７】
2008065828.tif 000011
【図８】
2008065828.tif 000012
【図９】
2008065828.tif 000013
【図１０】
2008065828.tif 000014
【図１１】
2008065828.tif 000015
【図１２】
2008065828.tif 000016
【図１３】
2008065828.tif 000017
【図１４】
2008065828.tif 000018
【外国語明細書】
2008065828000001.pdf